(57)【要約】【課題】支持レールで水平に支持される付帯品を支持位置に確実且つ安定的に固定して、付帯品が支持レールから脱落するのを防止する。【解決手段】壁パネル（３）に設置される支持レール（４）の断面円弧形状の凹溝（４１）に対応湾曲断面形状の係合突部（５１）を係合させて支持レール（４）に懸架される付帯品（５）の固定具（１０）を、その一側に付帯品（５）との連結部（１５）、他側に支持レール（４）の凹溝（４１）の開口端の下縁（ａ）と開口端よりも奥側の溝上面（ｂ）と溝下面（ｃ）とに同時に当接する突部（１４）を設けて構成する。【選択図】図４
2008081938.tif 000002
【特許請求の範囲】
【請求項１】
間仕切り壁などの壁パネルに設置される支持レールの断面円弧形状の凹溝に、対応断面形状に設けた係合突部を係合させて支持レールに懸架される付帯品の固定具であって、
一側に付帯品との連結部、他側に前記支持レールの凹溝の開口端の下縁と当該開口端よりも奥側の溝上面と溝下面とに同時に当接する突部を設けて形成された付帯品の固定具。
【請求項２】
付帯品の後端部が嵌合するコ字形枠状の連結部の後部上端に突部を設けて形成された請求項１に記載の付帯品の固定具。
【発明の詳細な説明】
【技術分野】
【０００１】
本発明は、間仕切り壁などの壁パネルに設置される支持レールの凹溝に、係合突部を係合させて懸架される付帯品を固定するための固定具に関する。
【背景技術】
【０００２】
書棚などの付帯品を装備した間仕切り壁１として、例えば図５に示されるように、床面Ｆ上に立て並べた支柱２、２の間に壁パネル３を上下複数段に取り付けるとともに、上下の壁パネル３、３の間に支持レール４を取り付け、この支持レール４の凹溝４１に付帯品５の係合突部５１を係合させて付帯品５を支持レール４で支持し懸架する構成のものが知られている。図中、符号６は巾木、７は天井レールである（例えば特許文献１、２参照）。
【０００３】
【特許文献１】特開２００４−２７０３３０号公報
【特許文献２】特開２００５−９７９５５号公報
【発明の開示】
【発明が解決しようとする課題】
【０００４】
前記間仕切り壁１において、支持レール４と付帯品５の接続は、図６に示されるように、開口端から奥行き方向（支持レール４の幅方向）に向けて上方へ湾曲した断面円弧状に形成された支持レール４の凹溝４１に、これと対応した湾曲断面形状に形成された付帯品５の係合突部５１を壁パネル３の前方から差し入れて係入させ、付帯品５の後端部５２が壁パネル３に当接することで、凹溝４１に係合突部５１が係合して接続し、付帯品５が支持レール４に沿って水平に支持されるようになっていた。この状態で、付帯品５に書籍などを載せて付帯品５に下方向の荷重がかかっても、当該下方向の荷重によって付帯品５の後端部５２が壁パネル３の表面に押し付けられるので、係合突部５１が凹溝４１から抜け外れることはない。
しかし、付帯品５の先端部５３側を上方へ持ち上げて後端部５２が壁パネル３から離れると、係合突部５１が凹溝４１から抜け外れ易かった。例えば間仕切りパネル１の前方で腰を屈めて作業していた人が付帯品５に気付かずに立ち上がって体を付帯品５に当て、その拍子に付帯品５の先端部５３側が上方へ持ち上がると、係合突部５１が凹溝４１から外れて支持レール４から脱落し、載せてあった書籍類共々付帯品５を床面Ｆに落下させてしまうことがあった。
【０００５】
本発明は従来技術の有するこのような問題点に鑑み、支持レールで水平に支持される付帯品を支持位置に確実且つ安定的に固定して、付帯品が支持レールから脱落するのを防止することを課題とする。
【課題を解決するための手段】
【０００６】
前記課題を解決するため本発明は、支持レールに付帯品を支持させた状態で付帯品を固定する固定具を新たに開発し、付帯品に固定具を取り付けて付帯品が支持レールから外れることを防止した。
【０００７】
より具体的には、間仕切り壁などの壁パネルに設置される支持レールの断面円弧形状の凹溝に、対応断面形状に設けた係合突部を係合させて支持レールに懸架される付帯品の固定具を、その一側に付帯品との連結部、他側に前記支持レールの凹溝の開口端の下縁と当該開口端よりも奥側の溝上面と溝下面とに同時に当接する突部を設けて構成した。
前記連結部は、付帯品の後端部、例えば付帯品が書棚の場合は棚板が嵌合するコ字形枠状に形成し、この連結部の後部上端に支持レールの凹溝に当接する突部を形成することができる。
【０００８】
本発明の固定具は、支持レールの凹溝に付帯品の係合突部を係合させて付帯品を支持レールに支持させた状態で、突部を支持レールの凹溝に差し込むとともに連結部を付帯品に連結させて、固定具を付帯品に一体に固定することにより取り付けられる。固定具は、その突部が、支持レールの凹溝の開口端の下縁と開口端よりも奥側の溝上面と溝下面とに同時に当接する形状に設けてある。従って、凹溝内に突部を差し込んで凹溝内面に当接させた状態で、固定具の連結部側の上下方向への変位が規制され、これにより連結部に固定された付帯品が上下方向へ移動するのを規制し、付帯品を支持レールから脱落させることなく水平に保持することができる。
なお、本発明の固定具は、アルミ型材加工やプラスチック射出成形加工など適宜な材質及び加工方法により形成することができる。また、固定具で固定する付帯品は、書棚として利用されるものの他に、書籍類以外の任意の物品を載せたり支持したりするなど適宜な利用用途のものに適用可能である。
【発明を実施するための最良の形態】
【０００９】
本発明の好適な一実施形態を図面を参照して説明する。
図１は本発明の一実施形態の固定具の外観図、図２は固定具の正面図、図３は付帯品に固定具を取り付けた間仕切り壁を要部を破断して示した図、図４は支持レールの凹溝に固定具の突部を当接させた状態の拡大断面図である。各図において前記従来例の間仕切り壁と同一の構成部材には同一の符号を付してある。
【００１０】
図示した形態の固定具１０は、前記図示した、開口端から奥行き方向に向けて上方へ湾曲した断面円弧状に形成された支持レール４の凹溝４１に、これと対応した湾曲断面形状に形成された付帯品５の係合突部５１を係合させて支持レール４に支持される付帯品５を固定するものであり、適宜な厚み及び幅の板材を略々コ字形に屈曲して形成してある。
【００１１】
より詳しくは、図１及び図２に示されるように、固定具１０は、梁部１１の一側の上下端部に上面部１２と下面部１３を平行に突出させるとともに、梁部１１の他側の上端から、上面部１２に連ねて突部１４を突出させて形成してある。梁部１１、上面部１２及び下面部１３は、付帯品５の棚板５４に連結する連結部１５を構成し、前記各部のコ字形に開口した枠内に棚板５４の端部を嵌合させて、付帯品５の後端部に固定具１０が一体に固定されるように設けてある。また、突部１４は、支持レール４の凹溝４１内に差し込み可能な太さを有し、後述するように、凹溝４１内に差し込まれた突部１４は、凹溝４１の開口端の下縁と開口端よりも奥側の溝上面と溝下面とに同時に当接する形状に設けてある。
【００１２】
このように形成された固定具１０は、図３に示されるように、支持レール４の凹溝４１に付帯品５の係合突部５１を係合させて付帯品５を支持レール４に支持させた状態で、壁パネル３の前方から固定具１０の突部１４を支持レール４の凹溝４１内に差し入れ、そのまま支持レール４に沿ってスライドさせて、付帯品５の側方から連結部１４を棚板５４の端部に嵌合させ、固定具１０を付帯品５に一体に固定することにより取り付けられる。
【００１３】
付帯品５の棚板５４に一体に固定された固定具１０の突部１４は、図４に示されるように、凹溝４１の開口端の下縁（ａ）と、開口端よりも奥側の溝上面（ｂ）と溝下面（ｃ）の３点に同時に当接する。この状態では、突部１４は、凹溝４１の開口前方へは変位可能であるが、前記３点に当接しているため、上下方向へは変位させることができない。従って、付帯品５に上下方向の荷重がかかっても、固定具１０が上下方向への変位を規制して付帯品５は水平に保持され、付帯品５の先端部５３側が上方へ持ち上がることがないので、付帯品５の係合突部５１が凹溝４１から抜け外れることはなく、付帯品５が支持レール４から脱落することを確実に防止することができる。
【００１４】
なお、図示した固定具の形態は一例であり、本発明はこれに形態に限定されず、他の適宜な形態で構成可能である。連結部は付帯品の後端部に連結可能な適宜な形状に設けることができる。
【図面の簡単な説明】
【００１５】
【図１】本発明の一実施形態の固定具の外観図である。
【図２】図１の固定具の正面図である。
【図３】付帯品に固定具を取り付けた間仕切り壁を要部を破断して示した図である。
【図４】支持レールの凹溝に固定具の突部を当接させた状態の拡大断面図である。
【図５】従来の一例の間仕切り壁の外観図である。
【図６】図５のＶＩ−ＶＩ線に沿った断面図である。
【符号の説明】
【００１６】
１  間仕切り壁、２  支柱、３  壁パネル、４  支持レール、４１  凹溝、５  付帯品、６  床レール、７  天井レール、１０  固定具、１１  梁部、１２  上面部、１３  下面部、１４  突部、１５  連結部
【図１】
2008081938.tif 000003
【図２】
2008081938.tif 000004
【図３】
2008081938.tif 000005
【図４】
2008081938.tif 000006
【図５】
2008081938.tif 000007
【図６】
2008081938.tif 000008